(57)【要約】【課題】フィードホーンやケースを合成樹脂にて形成した衛星受信用コンバータにおいて、フィードホーン及びケースのメッキ不良によって受信特性が低下するのを防止する。【解決手段】コンバータは、フィードホーン１０と受信用の回路基板３０を支持する支持ケース１２とを備える。これら各部１０、１２は合成樹脂にて一体形成されており、コルゲート２０を含むフィードホーン１０の開口端側表面、導波路となるフィードホーン１０の内側表面、及び、支持ケース１２においてフィードホーン１０の内側表面から回路基板３０が当接される当接部に至る部分には、金属メッキが施されている。そして、そのメッキ部分において、フィードホーン１０とコルゲート２０との間の溝部２２や、支持ケース１２の内側の角部は、メッキし易いように断面円弧状に形成され、しかも、コルゲート２０にはメッキ液を溝部２２に流入させる切り欠き２４が形成されている。【選択図】図３
2008252633.tif 000002
【特許請求の範囲】
【請求項１】
衛星放送電波が入力されるフィードホーンと、
前記衛星放送電波を受信して電気信号に変換する変換素子が実装された回路基板と、
前記フィードホーンの後端側周囲に設けられ、前記回路基板を支持して、前記衛星放送電波を受信可能な位置に位置決めする支持ケースと、
を備え、前記フィードホーン及び支持ケースが、表面を金属メッキしてなる合成樹脂にて形成された衛星受信用コンバータであって、
前記フィードホーンには、少なくとも、当該フィードホーンの開口面側表面及び導波路となる内側表面に金属メッキが施され、
前記支持ケースには、少なくとも、前記フィードホーンの内壁と前記回路基板のグランドパターンとの間に位置する内側表面に金属メッキが施され、
しかも、前記フィードホーン及び支持ケースの金属メッキ部分で２以上の壁面にて囲まれる角部は、メッキ時に空気溜まりが形成されることのないよう、断面円弧状に形成されていることを特徴とする衛星受信用コンバータ。
【請求項２】
前記フィードホーンと支持ケースとは合成樹脂にて一体形成されていることを特徴とする請求項１に記載の衛星受信用コンバータ。
【請求項３】
前記フィードホーンの開口端周囲には、溝部を挟んでコルゲートが形成されており、該コルゲートの一部は、前記溝部の底面まで切り欠かれていることを特徴とする請求項１又は請求項２に記載の衛星受信用コンバータ。
【請求項４】
前記フィードホーンの開口端周囲には、溝部を挟んでコルゲートが形成されており、前記溝部の底面には、後端面まで貫通する孔が穿設されていることを特徴とする請求項１〜請求項３の何れかに記載の衛星受信用コンバータ。
【請求項５】
前記溝部は、断面Ｕ字状に形成されていることを特徴とする請求項３又は請求項４に記載の衛星受信用コンバータ。
【請求項６】
前記フィードホーンの開口端周囲には、金属メッキされた環状の合成樹脂を嵌合することにより、コルゲートが形成されていることを特徴とする請求項１又は請求項２に記載の衛星受信用コンバータ。
【請求項７】
前記支持ケースには、当該衛星受信用コンバータを、パラボラ反射鏡からその焦点位置まで引き出されたアームの先端に固定するためのアーム固定部が突設されており、該アーム固定部には、金属メッキが施されず、合成樹脂が露出していることを特徴とする請求項１〜請求項６の何れかに記載の衛星受信用コンバータ。
【発明の詳細な説明】
【技術分野】
【０００１】
本発明は、フィードホーンやケースを合成樹脂にて形成した衛星受信用コンバータに関する。
【背景技術】
【０００２】
従来、パラボラ反射鏡の焦点位置に配置されて、衛星放送電波を受信し、所定周波数帯の中間周波信号に周波数変換して出力する衛星受信用コンバータにおいては、軽量化を図るために、衛星放送電波を取り込むためのフィードホーンやケースを、表面を金属メッキした合成樹脂にて形成することが提案されている（例えば、特許文献１、２等参照）。
【特許文献１】特開２００１−１１９２０２号公報
【特許文献２】特開２００４−７０４３号公報
【発明の開示】
【発明が解決しようとする課題】
【０００３】
しかしながら、上記のようにフィードホーンやケースを合成樹脂にて形成する場合、その形状によっては、樹脂表面に均一に金属メッキを施すことができず、衛星受信用コンバータの受信特性が低下することがあった。
【０００４】
つまり、合成樹脂の表面に金属メッキにて導電層を形成する際には、一般に、まず銅の無電解メッキによって樹脂表面に銅の層を形成し、その後、その形成した銅の層を利用して樹脂表面に電気を流す電解メッキを行うことで、ニッケルやクロムの層を形成する、といったことが行われる。
【０００５】
しかし、無電解メッキでは、２つ以上の壁面で囲まれる角部が存在すると、その角部に空気溜まりができて、角部をメッキできなくなるという問題があり、また、電解メッキでは、合成樹脂にこのような角部が存在すると、樹脂表面で電気（電界）が集中する部分と分散する部分ができて導電層にムラができてしまうという問題がある。
【０００６】
そして、このように、フィードホーンやケースを構成している合成樹脂の表面に導電層がない領域ができたり、導電層にムラができると、電波の漏れが生じて、所望の受信特性が得られなくなってしまう。
【０００７】
本発明は、こうした問題に鑑みなされたものであり、フィードホーンやケースを合成樹脂にて形成した衛星受信用コンバータにおいて、これら各部を金属メッキし易い形状とすることにより、メッキ不良によって受信特性が低下するのを防止することを目的とする。
【課題を解決するための手段】
【０００８】
かかる目的を達成するためになされた請求項１に記載の発明は、衛星放送電波が入力されるフィードホーンと、前記衛星放送電波を受信して電気信号に変換する変換素子が実装された回路基板と、前記フィードホーンの後端側周囲に設けられ、前記回路基板を支持して、前記衛星放送電波を受信可能な位置に位置決めする支持ケースとを備え、前記フィードホーン及び支持ケースが、表面を金属メッキしてなる合成樹脂にて形成された衛星受信用コンバータであって、前記フィードホーンには、少なくとも、当該フィードホーンの開口面側表面及び導波路となる内側表面に金属メッキが施され、前記支持ケースには、少なくとも、前記フィードホーンの内壁と前記回路基板のグランドパターンとの間に位置する内側表面に金属メッキが施され、しかも、前記フィードホーン及び支持ケースの金属メッキ部分で２以上の壁面にて囲まれる角部は、メッキ時に空気溜まりが形成されることのな
いよう、断面円弧状に形成されていることを特徴とする。
【０００９】
また、請求項２に記載の発明は、請求項１に記載の衛星受信用コンバータにおいて、前記フィードホーンと支持ケースとは合成樹脂にて一体形成されていることを特徴とする。
次に、請求項３に記載の発明は、請求項１又は請求項２に記載の衛星受信用コンバータにおいて、前記フィードホーンの開口端周囲には、溝部を挟んでコルゲートが形成されており、該コルゲートの一部は、前記溝部の底面まで切り欠かれていることを特徴とする。
【００１０】
また、請求項４に記載の発明は、請求項１〜請求項３の何れかに記載の衛星受信用コンバータにおいて、前記フィードホーンの開口端周囲には、溝部を挟んでコルゲートが形成されており、前記溝部の底面には、後端面まで貫通する孔が穿設されていることを特徴とする。
【００１１】
また次に、請求項５に記載の発明は、請求項３又は請求項４に記載の衛星受信用コンバータにおいて、前記溝部は、断面Ｕ字状に形成されていることを特徴とする。
一方、請求項６に記載の発明は、請求項１又は請求項２に記載の衛星受信用コンバータにおいて、前記フィードホーンの開口端周囲には、金属メッキされた環状の合成樹脂を嵌合することにより、コルゲートが形成されていることを特徴とする。
【００１２】
また、請求項７に記載の発明は、請求項１〜請求項６の何れかに記載の衛星受信用コンバータにおいて、前記支持ケースには、当該衛星受信用コンバータを、パラボラ反射鏡からその焦点位置まで引き出されたアームの先端に固定するためのアーム固定部が突設されており、該アーム固定部表面には、金属メッキが施されず、合成樹脂が露出していることを特徴とする。
【発明の効果】
【００１３】
請求項１に記載の衛星受信用コンバータにおいては、フィードホーンと、このフィードホーンの後端側に回路基板を位置決めする支持ケースとが合成樹脂にて形成されている。そして、フィードホーンには、少なくとも、フィードホーンの開口面側表面及び導波路となる内側表面に金属メッキが施され、支持ケースには、少なくとも、フィードホーンの内壁と回路基板のグランドパターンとの間に位置する内側表面に金属メッキが施される。また、フィードホーン及び支持ケースにおいて、金属メッキが施される表面部分で、２以上の壁面にて囲まれる角部は、メッキ時に空気溜まりが形成されることのないよう、断面円弧状に形成されている。
【００１４】
このため、本発明によれば、フィードホーン及び支持ケースの無電解メッキ時に、角部に空気溜まりが形成されて、メッキ不良が生じたり、その後の電解メッキ時に角部周囲で電気が集中する部分と分散する部分ができて、メッキのムラが生じるのを防止することができ、フィードホーンを介して取り込まれた衛星放送電波を、回路基板に実装された変換素子にて効率よく電気信号に変換することができるようになる。
【００１５】
なお、メッキに適した角部の断面形状は円弧形状であるが、その円弧の半径は、１ｍｍ〜１．５ｍｍ以上にすることが望ましい。つまり、メッキ可能な孔部の最小径は、メッキ液の粘度によって異なるが、上述したように、無電解メッキで銅層を形成し、電解メッキで銅層の上にニッケル層やクロム層を形成すような場合には、２ｍｍ〜３ｍｍとなる。このため、角部の断面を円弧状にする場合には、メッキ可能な孔部の最小径に対応して、円弧の半径を、最低でも１ｍｍ〜１．５ｍｍ以上にすることが望ましい。
【００１６】
また、この円弧の半径は、大きくすればするほど、メッキ不良が生じるのを防止できるが、円弧の半径を大きくすると、フィードホーンや支持ケースを形成している合成樹脂の量が多くなって、軽量化の妨げになる。従って、この円弧の半径は、メッキに支承を来すことのない範囲内にて小さくすることが望ましく、最大でも２．５ｍｍ以下にするとよい。
【００１７】
次に、請求項２に記載の衛星受信用コンバータにおいては、フィードホーンと支持ケースとが合成樹脂にて一体形成されている。このため、従来の衛星受信用コンバータのように、フィードホーンを合成樹脂にて形成し、回路基板のケースを金属板にて形成して、これらを接合する、といったことが不要となり、衛星受信用コンバータを安価に実現することができる。
【００１８】
一方、請求項３に記載の衛星受信用コンバータにおいては、フィードホーンの開口端周囲に、コルゲートが形成されており、コルゲートの一部は、フィードホーン周囲の外壁とコルゲートの内壁との間に形成される溝部の底面まで切り欠かれている。
【００１９】
このため、フィードホーンのメッキ時には、コルゲートの切り欠き部分を通って溝部内部にメッキ液が侵入することになり、溝部に空気溜まりができて、フィードホーンとコルゲートとの間にメッキ不良が生じるのを防止できる。
【００２０】
よって、本発明の衛星受信用コンバータによれば、フィードホーンの周囲に合成樹脂にてコルゲートを形成しても、コルゲートとフィードホーンとの電気的接続を確保して、コルゲートにより受信特性（指向特性）を改善することができるようになる。
【００２１】
なお、コルゲートに形成する切り欠き部分は、その幅を大きくすればするほど、メッキ液が通りやすくなるが、その幅を大きくしすぎると、受信特性を低下させてしまうことになる。
【００２２】
そして、本願発明者らの実験によれば、衛星受信用コンバータが放送衛星（若しくは通信衛星）からの衛星放送電波（十数ＧＨｚの電波）を受信するものであれば、コルゲートに形成する切り欠きの幅を５ｍｍ程度にしても、受信特性が変化することはなかった。
【００２３】
このため、請求項３に記載のように、フィードホーン周囲のコルゲートにメッキ液を通す切り欠きを形成する場合には、その切り欠きの幅を、５ｍｍ程度にすればよいことになる。
【００２４】
また、請求項４に記載の衛星受信用コンバータにおいては、フィードホーンの開口端周囲に、コルゲートが形成されており、フィードホーン周囲の外壁とコルゲートの内壁との間に形成される溝部の底面には、その後端面まで貫通する孔が穿設されている。
【００２５】
このため、フィードホーンのメッキ時には、この孔を通って溝部内部にメッキ液が侵入することになり、溝部に空気溜まりができて、フィードホーンとコルゲートとの間にメッキ不良が生じるのを防止できる。
【００２６】
よって、本発明の衛星受信用コンバータによれば、請求項３に記載のものと同様、フィードホーンの周囲に合成樹脂にてコルゲートを形成しても、コルゲートとフィードホーンとの電気的接続を確保して、コルゲートにより受信特性（指向特性）を改善することができるようになる。
【００２７】
なお、このように溝部の底面にメッキ液を通す孔を穿設する場合、その孔の径は大きく
すればするほどよいことから、溝部の幅と一致させるとよい。そして、溝部の幅は、メッキ可能な孔部の最小径に対応して、２ｍｍ〜３ｍｍ若しくはそれ以上に設定する必要があるため、溝部の底面に穿設する孔の径も、これに対応して設定すればよい。
【００２８】
また次に、請求項５に記載の衛星受信用コンバータにおいては、溝部が断面Ｕ字状に形成されている。このため、溝部の底に平面を形成した場合に比べて、溝部内に金属メッキをより良好に形成することができるようになり、受信特性（指向特性）を改善することができるようになる。
【００２９】
一方、請求項６に記載の衛星受信用コンバータにおいては、フィードホーンの開口端周囲に、金属メッキされた環状の合成樹脂を嵌合することにより、コルゲートが形成されている。
【００３０】
このため、本発明の衛星受信用コンバータによれば、フィードホーンの開口端周囲とコルゲートを形成する合成樹脂とに別々に金属メッキを施すことができるようになり、フィードホーン周囲の外壁とコルゲートの内壁との間に形成される溝部にメッキ不良が生じることはない。
【００３１】
よって、請求項６に記載の衛星受信用コンバータにおいても、請求項３〜請求項５に記載のものと同様、コルゲートを正常に機能させて、衛星受信用コンバータの受信特性（指向特性）を改善することができる。
【００３２】
また、請求項７に記載の衛星受信用コンバータにおいては、パラボラ反射鏡からその焦点位置まで引き出されたアームの先端に当該衛星受信用コンバータを固定するためのアーム固定部が、支持ケースに突設されている。そして、このアーム固定部表面には、金属メッキが施されず、合成樹脂が露出している。
【００３３】
このため、本発明の衛星受信用コンバータによれば、支持ケースに突設されたアーム固定部を介して、パラボラ反射鏡から引き出されたアームの先端に簡単に取り付けることができ、しかも、その取り付け部分は、金属メッキが施されていない絶縁性の合成樹脂にて形成されていることから、衛星受信用コンバータと、パラボラ反射鏡とを絶縁して、衛星受信用コンバータが接地されるのを防止できる。
【発明を実施するための最良の形態】
【００３４】
以下に本発明の実施形態を図面と共に説明する。
なお、以下の説明において、図１は本発明が適用された実施形態の受信アンテナの構成を表す斜視図、図２はその受信アンテナに設けられた衛星受信用コンバータ（以下単にコンバータという）の外観を表す説明図、図３はそのコンバータの裏蓋を外した状態を表す説明図である。
【００３５】
また図２において、（ａ）はコンバータをホーンの開口端側から見た正面図であり、（ｂ）はコンバータを図２（ａ）の上方から見た平面図、（ｃ）は、コンバータを図２（ａ）の右方向から見た側面図である。
【００３６】
また、図３において、（ａ）はコンバータをホーンの開口端とは反対側から見た裏面図であり、（ｂ）はコンバータを図３（ａ）のＡ−Ａ線断面図である。
本実施形態の受信アンテナ２は、放送衛星（ＢＳ）若しくは通信衛星（ＣＳ）から送信された十数ＧＨｚ帯の電波を受信するのに使用されるものであり、図１に示すように、パ
ラボラ反射鏡４と、パラボラ反射鏡４の焦点位置にアーム６を介して配置されたコンバータ８とから構成されている。
【００３７】
コンバータ８は、パラボラ反射鏡４にて集波された電波を受信し、その受信信号を１〜数ＧＨｚ帯の中間周波信号に周波数変換して出力するものであり、図２に示すように、パラボラ反射鏡４にて反射・収束された電波を受け入れるフィードホーン１０と、フィードホーン１０の後端側に一体的に形成され、受信用の回路基板３０（図２（ｂ）参照）を支持してフィードホーン１０の後端側に位置決めする支持ケース１２とを備える。
【００３８】
フィードホーン１０の開口端周囲には、溝部２２を挟んでコルゲート２０が形成されており、支持ケース１２のフィードホーン１０とは反対側は、回路基板３０を内部に収納可能な箱状に形成されている。そして、この支持ケース１２のフィードホーン１０とは反対側は、回路基板３０を収納できるように開口しており、その開口は裏蓋１４にて密閉されている。
【００３９】
フィードホーン１０、支持ケース１２、及びコルゲート２０は、合成樹脂にて一体形成されており、裏蓋１４は、合成樹脂にて、支持ケース１２のフィードホーン１０とは反対側の開口に嵌合可能に形成されている。
【００４０】
そして、コルゲート２０や溝部２２を含むフィードホーン１０の開口端側表面、導波路となるフィードホーン１０の内側表面、及び、支持ケース１２においてフィードホーン１０の内側表面から回路基板３０が当接される当接部に至る支持ケース１２の内側表面には、金属メッキが施されており、回路基板３０のフィードホーン１０とは反対側の基板面には、電波を受信して中間周波信号に変換する信号変換部５０（図４参照）を覆う金属製のシールドケース４０が設けられている。
【００４１】
なお、このシールドケース４０は、回路基板３０を支持ケース１２との間に挟んだ状態で、支持ケース１２にねじ止め固定されている。また、回路基板３０の基板面において、支持ケース１２に当接される部分、及び、シールドケース４０の開口端が当接される部分は、信号変換部５０を囲むようにグランドパターンが形成されている。
【００４２】
このため、回路基板３０の信号変換部５０は、フィードホーン１０の後端面に当接される内側部分を除いて、支持ケース１２の内側表面に金属メッキにて形成された導電層とシールドケース４０とでシールドされることになる。
【００４３】
また、支持ケース１２の側壁（図２、３における下方の側壁）には、回路基板３０から受信信号（中間周波信号）を取り出すための端子３２を固定する端子固定部１６が形成されており、回路基板３０には、この端子固定部１６に固定された端子３２に接続されている。
【００４４】
つまり、図４に示す如く、回路基板３０には、フィードホーン１０を介して取り込まれた衛星放送電波を電気信号に変換し、更にその受信信号を中間周波信号に周波数変換する信号変換部５０とは別に、周波数変換後の中間周波信号を増幅して、端子３２から端末側に出力する出力増幅回路（出力ＡＭＰ）５６や、受信端末側から端子３２に入力された直流電圧を分離する電源分離フィルタ５７、及び、この電源分離フィルタ５７にて分離された直流電圧から出力アンプ５６や信号変換部５０を動作させる電源電圧を生成する電源回路５８が組み込まれており、端子３２には、電源分離フィルタ５７を介して出力ＡＭＰ５６が接続されている。
【００４５】
なお、回路基板３０において、シールドケース４０等でシールドされる信号変換部５０
は、衛星放送電波を電気信号に変換する変換素子であるプローブ等からなる受信部５１と、受信部５１からの受信信号を増幅する増幅回路（ローノイズアンプ：ＬＮＡ）５２と、周波数変換用の高周波信号（周波数：十数ＭＨｚ）を発生する発振器５４と、増幅回路５２で増幅された受信信号と発振器５４で生成された高周波信号とを混合して受信信号をダウンコンバートするミキサ５３と、このミキサ５３にてダウンコンバートされた受信信号（つまり中間周波信号）のみを選択的に通過させるバンドパスフィルタ（ＢＰＦ）５５とから構成されている。
【００４６】
また次に、支持ケース１２において、端子固定部１６が形成された側壁からは、フィードホーン１０のビーム放射方向に向けて斜めに、アーム固定部１８が突設されている。このアーム固定部１８は、パラボラ反射鏡４から引き出されたアーム６の先端部分に当該コンバータ８を固定するためのものであり、フィードホーン１０や支持ケース１２と一緒に合成樹脂にて一体形成されている。そして、このアーム固定部１８には、アーム６にねじ止め固定するためのねじ孔が穿設されている。
【００４７】
上記のように、本実施形態のコンバータ８においては、フィードホーン１０と支持ケース１２とが合成樹脂にて一体形成されており、フィードホーン１０の開口端側表面及び内側表面、並びに、支持ケース１２においてシールドケース４０と共に回路基板３０の信号変換部５０を囲みシールドする内側表面には、金属メッキにより導電層が形成されている。
【００４８】
そして、フィードホーン１０及び支持ケース１２において、金属メッキにより導電層が形成される部分で、２以上の壁面にて囲まれる角部は、メッキ時に空気溜まりが形成されることのないよう、断面円弧状に形成されている。
【００４９】
具体的には、フィードホーン１０の開口端側でフィードホーン１０の外壁とその周囲のコルゲート２０との間の溝部２２の底面や、支持ケース１２の内側に形成された凹部２６（図３（ｂ）参照）の底面には、メッキ液が流入し難く、空気溜まりが形成され易い角部が存在するが、この角部に空気溜まりが形成されることのないよう、この角部の断面形状を、半径１〜１．５ｍｍ程度の円弧形状にしている。
【００５０】
なお、フィードホーン１０及び支持ケース１２への金属メッキは、まず、銅の無電解メッキによって、これら各部の表面に銅の層を形成し、更に、その上に、電解メッキによってニッケル層、及び、クロム層を形成する、といった手順で行われる。
【００５１】
また、本実施形態では、フィードホーン１０の外壁とその周囲のコルゲート２０との間に形成される溝部２２の幅（間隙）を、溝部２２をメッキするのに必要な約３ｍｍにしているが、メッキ時の条件によっては、溝部２２の内部にメッキ不良が生じることも考えられることから、更に、コルゲート２０の一部（本実施形態では、フィードホーン１０を開口面側からみて上下左右の４カ所）を溝部２２の底面まで切り欠く（図２（ａ）に示す切り欠き２４参照）ことによって、溝部２２内にメッキ液が確実に侵入して、溝部２２内を均一にメッキできるようにしている。なお、この切り欠き２４の幅は、受信特性に影響を与えることのないよう、約５ｍｍに設定されている。
【００５２】
従って、本実施形態のコンバータ８によれば、フィードホーン１０及び支持ケース１２の無電解メッキ時に、フィードホーン１０周囲の溝部２２や支持ケース１２内側の角部に空気溜まりが形成されて、メッキできない部分が生じたり、その後の電解メッキ時にこれら各部でメッキのムラが生じるのを防止することができるようになり、こうしたメッキ不良によってコンバータ８の受信特性が低下するのを防止できる。
【００５３】
以上、本発明の一実施形態について説明したが、本発明は、上記実施形態に限定されるものではなく、本発明の要旨を逸脱しない範囲内にて、種々の態様をとることができる。
例えば、上記実施形態では、溝部２２の幅は約３ｍｍに設定し、その底面に形成される角部は、半径１〜１．５ｍｍの円弧形状であるものとして説明したが、これらの寸法は受信特性とメッキ性能とを考慮して適宜設定すればよく、例えば、図５（ａ）に示すように、溝部の幅と深さとを一致させて、溝部の断面がＵ時状になるようにしてもよい。
【００５４】
具体的には、例えば、受信対象となる衛星放送電波の周波数が１２ＧＨｚである場合、溝部２２のフィードホーン１０側開口端部から、溝部２２の側壁、底面及び側壁を通って、コルゲート２０側開口端部に至る長さは、約１２．５ｍｍ必要となるため、この場合には、溝部２２の幅及び深さが約５ｍｍとなるよう、溝部２２を断面Ｕ字状に形成すればよい。
【００５５】
また例えば、上記実施形態では、溝部２２にメッキ液が侵入し易くなるよう、コルゲート２０の一部に切り欠き２４を形成したが、例えば、図５（ｂ−１）、（ｂ−２）に示すように、溝部２２には、その底面から後端面まで貫通する複数の孔２９（図では、溝部２２の幅と略同じ径を有する孔）を穿設するようにしてもよい。つまり、このようにしても、メッキ時には、この孔２９を通って溝部２２内部にメッキ液が侵入し易くなり、メッキ不良の発生を抑制することができる。
【００５６】
なお、図５（ｂ−１）は、フィードホーン１０を開口端側から見た正面図であり、（ｂ−２）はフィードホーン１０を左右一対の孔を通るように切断した状態を表す断面図である。そして、この図に示した孔２９と、図２に示した切り欠き２４は、受信特性に影響を与えることのない範囲内にて、一つのフィードホーン１０にそれぞれ形成するようにしてもよい。
【００５７】
一方、フィードホーン１０の周囲にコルゲート２０を形成するに当たって、その間の溝部２２内に確実に金属メッキを施すことができるようにするには、図５（ｃ−１）に示すように、コルゲート２０と溝部２２の一部を構成する環状部材２８をフィードホーン１０とは別体で構成し、図５（ｃ−２）に点線で示すように、この環状部材２８を、接着剤等を利用して、フィードホーン１０の開口端に嵌合固定することにより、コルゲート２０付きのフィードホーン１０を形成するようにしてもよい。なお、この場合、環状部材２８は、フィードホーン１０と同様、合成樹脂にて形成して、その表面に金属メッキを施すことで作製すればよい。
【００５８】
また次に、上記実施形態では、コルゲート２０や溝部２２を含むフィードホーン１０の開口端側表面と、導波路となるフィードホーン１０の内側表面と、支持ケース１２においてフィードホーン１０の内側表面から回路基板３０が当接される当接部に至る支持ケース１２の内側表面とに、金属メッキが施されているものとして説明したが、他の部分については、金属メッキを施しても、金属メッキを施さず合成樹脂の状態にしてもよい。
【００５９】
但し、フィードホーン１０及び支持ケース１２の周囲全域に金属メッキを施した場合、少なくともアーム固定部１８だけは金属メッキを施さず、合成樹脂の状態にしておくことが望ましい。これは、アーム固定部１８を、絶縁性を有する合成樹脂の状態にしておければ、コンバータ８をアーム６に固定した際、アーム固定部１８にて、コンバータ８とパラボラ反射鏡４とを絶縁して、コンバータ８が大地に接地されるのを防止できる。
【００６０】
また更に、上記実施形態では、フィードホーン１０と支持ケース１２とは、合成樹脂にて一体的に形成されているものとして説明したが、これら各部は、各々別体で形成して、
導電性を有する接着剤等で接合するようにしてもよい。
【図面の簡単な説明】
【００６１】
【図１】実施形態の受信アンテナの構成を表す斜視図である。
【図２】実施形態のコンバータの外観を表す説明図である。
【図３】図２に示したコンバータの内部構成を表す説明図である。
【図４】回路基板に形成された電気回路の構成を表すブロック図である。
【図５】コンバータの変形例を表す説明図である。
【符号の説明】
【００６２】
２…受信アンテナ、４…パラボラ反射鏡、６…アーム、８…コンバータ、１０…フィードホーン、１２…支持ケース、１４…裏蓋、１６…端子固定部、１８…アーム固定部、２０…コルゲート、２２…溝部、２４…切り欠き、２６…凹部、２８…環状部材、２９…孔、３０…回路基板、３２…端子、４０…シールドケース、５０…信号変換部。
【図１】
2008252633.tif 000003
【図２】
2008252633.tif 000004
【図３】
2008252633.tif 000005
【図４】
2008252633.tif 000006
【図５】
2008252633.tif 000007